(57)【要約】【課題】  ＴＴＩの変更によるシステム性能を向上させる方法及び装置を提供する。【解決手段】  ＨＡＲＱを支援するシステムで、ＴＴＩを可変してアップリンクパケット伝送の性能を向上させようとするときに、ＴＴＩ変更時点で進行しているＨＡＲＱ動作に対する影響を最小化することによって、ＴＴＩの変更によるシステム性能を向上させる方法及び装置を提供する。本発明は、前記ＴＴＩを変更することを指示するＴＴＩ変更信号を受信する段階と、前記ＴＴＩ変更信号により、前記ＴＴＩ変更信号が指示する時点で前記ＴＴＩを変更し、前記変更されたＴＴＩによる新たなＨＡＲＱプロセスを設定する段階と、前記ＴＴＩを変更した後に、以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送する段階と、を含む。【選択図】  図６Ａ
2005323366.tif 000002
【特許請求の範囲】
【請求項１】
ＨＡＲＱと可変ＴＴＩを支援する通信システムにおけるデータ伝送方法であって、
前記ＴＴＩを変更することを指示するＴＴＩ変更信号を受信する段階と、
前記ＴＴＩ変更信号により、前記ＴＴＩ変更信号が指示する時点で前記ＴＴＩを変更し、前記変更されたＴＴＩによる新たなＨＡＲＱプロセスを設定する段階と、
前記ＴＴＩを変更した後に、以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送する段階と、
を含むことを特徴とする方法。
【請求項２】
前記変更されたＴＴＩが以前のＴＴＩより長い場合に、前記以前のＴＴＩのＨＡＲＱプロセスＩＤが前記変更されたＴＴＩに存在しないＨＡＲＱプロセスＩＤであると、前記以前のＴＴＩのＨＡＲＱプロセスＩＤに伝送されたデータを削除する段階を含むことを特徴とする請求項１記載の方法。
【請求項３】
前記変更されたＴＴＩが以前のＴＴＩより短い場合に、前記以前のＴＴＩのＨＡＲＱプロセスＩＤに対応するＡＣＫ/ＮＡＣＫ信号を受信しないと、前記以前のＴＴＩのＨＡＲＱプロセスＩＤに伝送されたデータを削除する段階を含むことを特徴とする請求項１記載の方法。
【請求項４】
前記再伝送処理を遂行する段階は、
前記以前のＴＴＩのＨＡＲＱプロセスＩＤを確認し、前記変更されたＴＴＩによる新たなＨＡＲＱプロセスの個数以下のプロセスＩＤを有する以前のＨＡＲＱプロセスに対するＡＣＫ/ＮＡＣＫ応答が受信されるかを確認する段階と、
前記ＡＣＫ/ＮＡＣＫ応答が受信されると、前記ＡＣＫ/ＮＡＣＫ応答がＡＣＫであるかを判断する段階と、
前記ＡＣＫ/ＮＡＣＫ応答が受信されないか、或いは前記ＡＣＫ/ＮＡＣＫ応答がＮＡＣＫであると、同一のプロセスＩＤを有する新たなＨＡＲＱプロセスによって前記以前のＨＡＲＱプロセスのデータを再伝送する段階と、
を含むことを特徴とする請求項１記載の方法。
【請求項５】
ＨＡＲＱと可変ＴＴＩを支援する通信システムにおけるデータ伝送装置であって、
ＨＡＲＱプロセスに基づいて伝送されるデータを貯蔵するソフトバッファと、
ＴＴＩ変更信号によりＨＡＲＱプロセスを制御する制御部と、
前記制御部の制御によってデータを符号化する符号化部と、
前記制御部の制御により、ＴＴＩ変更信号によって前記ＴＴＩ変更信号が指示する時点で前記ＴＴＩを変更し、前記変更されたＴＴＩによる新たなＨＡＲＱプロセスを設定し、前記ＴＴＩを変更した後に、以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送するように動作するＨＡＲＱ制御部と、
を備えることを特徴とする装置。
【請求項６】
前記変更されたＴＴＩが以前のＴＴＩより長い場合に、前記以前のＴＴＩのＨＡＲＱプロセスＩＤが前記変更されたＴＴＩに存在しないＨＡＲＱプロセスＩＤであると、前記以前のＴＴＩのＨＡＲＱプロセスＩＤに伝送されたデータを削除する手段を備えることを特徴とする請求項５記載の装置。
【請求項７】
前記変更されたＴＴＩが以前のＴＴＩより短い場合に、前記以前のＴＴＩのＨＡＲＱプロセスＩＤに対応するＡＣＫ/ＮＡＣＫ信号を受信しないと、前記以前のＴＴＩのＨＡＲＱプロセスＩＤに伝送されたデータを削除する手段を備えることを特徴とする請求項５記載の装置。
【請求項８】
前記ＨＡＲＱ制御部は、
前記以前のＴＴＩのＨＡＲＱプロセスＩＤを確認し、前記変更されたＴＴＩによる新たなＨＡＲＱプロセスの個数以下のプロセスＩＤを有する以前のＨＡＲＱプロセスに対するＡＣＫ/ＮＡＣＫ応答が受信されるかを確認し、
前記ＡＣＫ/ＮＡＣＫ応答が受信されると、前記ＡＣＫ/ＮＡＣＫ応答がＡＣＫであるかを判断し、
前記ＡＣＫ/ＮＡＣＫ応答が受信されないか、或いは前記ＡＣＫ/ＮＡＣＫ応答がＮＡＣＫであると、同一のプロセスＩＤを有する新たなＨＡＲＱプロセスによって前記以前のＨＡＲＱプロセスのデータを再伝送すること、
を特徴とする請求項５記載の装置。
【請求項９】
ＨＡＲＱと可変ＴＴＩを支援する通信システムにおいて基地局のＴＴＩを変更するための方法であって、
前記ＴＴＩを変更することを指示するＴＴＩ変更信号を受信する段階と、
前記ＴＴＩ変更信号により、前記ＴＴＩ変更信号が指示する時点でＡＣＫ/ＮＡＣＫチャンネルのＴＴＩを変更する段階と、
前記ＴＴＩを変更した後に、ユーザー端末から受信したパケットデータが以前のＴＴＩのＨＡＲＱプロセスによって伝送されるか、或いは変更されたＴＴＩのＨＡＲＱプロセスによって伝送されるかを判断する段階と、
前記パケットデータが変更されたＴＴＩによって伝送される場合に、前記パケットデータの誤り有無によるＡＣＫ/ＮＡＣＫ応答を前記ＡＣＫ/ＮＡＣＫチャンネルを通じて前記ユーザー端末に伝送する段階と、
を含むことを特徴とする方法。
【請求項１０】
ＨＡＲＱと可変ＴＴＩを支援する通信システムにおいて基地局のＴＴＩを変更するための装置であって、
前記ＴＴＩを変更することを指示するＴＴＩ変更信号を受信すると、変更されたＴＴＩによる新たなＴＴＩ情報を発生するＴＴＩ制御部と、
前記新たなＴＴＩ情報によるＡＣＫ/ＮＡＣＫチャンネルの処理時間単位を決定する物理階層制御部と、
前記新たなＴＴＩ情報によるＡＣＫ/ＮＡＣＫチャンネルの処理時間単位に同期して前記ＡＣＫ/ＮＡＣＫチャンネルのＴＴＩを変更した後に、ユーザー端末から受信されたパケットデータが以前のＴＴＩのＨＡＲＱプロセスによって伝送されるか、或いは変更されたＴＴＩのＨＡＲＱプロセスによって伝送されるかを判断し、前記パケットデータが変更されたＴＴＩによって伝送される場合には、前記パケットデータの誤り有無によるＡＣＫ/ＮＡＣＫ応答を前記ＡＣＫ/ＮＡＣＫチャンネルを通じて伝送するＡＣＫ/ＮＡＣＫ生成器と、
を備えることを特徴とする装置。
【請求項１１】
ＨＡＲＱと可変ＴＴＩを支援する通信システムにおけるデータ伝送方法であって、
前記ＴＴＩを変更することを指示する第１のＴＴＩ変更信号を受信する段階と、
前記第１のＴＴＩ変更信号と以前のＴＴＩのＨＡＲＱプロセス完了時点に基づいて第２のＴＴＩ変更時点を計算する段階と、
前記第２のＴＴＩ変更時点以前まで、以前のＴＴＩのＨＡＲＱプロセスを遂行し、前記第２のＴＴＩ変更時点で変更されたＴＴＩのＨＡＲＱプロセスを設定して新たなデータを伝送する段階と、
を含むことを特徴とする方法。
【請求項１２】
前記第２の変更時点は、前記以前のＨＡＲＱプロセスの個数と予め定められる最大再伝送の回数に基づいて計算されることを特徴とする請求項１１記載の方法。
【請求項１３】
前記第１のＴＴＩ変更時点以後に前記第２のＴＴＩ変更時点に至る以前まで新たなデータの伝送を保留し、前記以前のＨＡＲＱプロセスの再伝送処理を遂行する段階をさらに含むことを特徴とする請求項１１記載の方法。
【請求項１４】
ＨＡＲＱと可変ＴＴＩを支援する通信システムにおけるデータ伝送装置であって、
ＨＡＲＱプロセスを考慮して伝送されるデータを貯蔵するソフトバッファと、
第１のＴＴＩ変更信号と以前のＴＴＩのＨＡＲＱプロセス完了時点に基づいて第２のＴＴＩ変更時点を計算し、前記第２のＴＴＩ変更時点によってＨＡＲＱプロセスを制御する制御部と、
前記制御部の制御によってデータを符号化する符号化部と、
前記第２のＴＴＩ変更時点以前まで、以前のＴＴＩのＨＡＲＱプロセスを遂行し、前記第２のＴＴＩ変更時点で変更されたＴＴＩのＨＡＲＱプロセスを設定して新たなデータを伝送するＨＡＲＱ制御部と、
を備えることを特徴とする装置。
【請求項１５】
前記第２の変更時点は、前記以前のＨＡＲＱプロセスの個数と予め定められる最大再伝送の回数に基づいて計算されることを特徴とする請求項１４記載の装置。
【請求項１６】
前記ＨＡＲＱ制御部は、
前記第１のＴＴＩ変更時点以後に前記第２のＴＴＩ変更時点に至る以前まで新たなデータの伝送を保留し、前記以前のＨＡＲＱプロセスの再伝送処理を遂行することを特徴とする請求項１４記載の装置。
【請求項１７】
ＨＡＲＱと可変ＴＴＩを支援する通信システムにおいて基地局のＴＴＩを変更する方法であって、
前記ＴＴＩを変更することを指示する第１のＴＴＩ変更信号を受信する段階と、
前記第１のＴＴＩ変更信号と以前のＴＴＩのＨＡＲＱプロセス完了時点に基づいて第２のＴＴＩ変更時点を計算する段階と、
前記第１のＴＴＩ変更時点以後に前記第２のＴＴＩ変更時点に至る以前まで前記以前のＴＴＩによりＡＣＫ/ＮＡＣＫチャンネルを通じてＡＣＫ/ＮＡＣＫ応答を伝送する段階と、
前記第２のＴＴＩ変更時点でＡＣＫ/ＮＡＣＫチャンネルのＴＴＩを変更し、変更されたＴＴＩによりＡＣＫ/ＮＡＣＫチャンネルを通じてＡＣＫ/ＮＡＣＫ応答を伝送する段階と、
を含むことを特徴とする方法。
【請求項１８】
前記第２の変更時点は、前記以前のＨＡＲＱプロセスの個数と予め定められる最大再伝送の回数に基づいて計算されることを特徴とする請求項１７記載の方法。
【請求項１９】
データ伝送単位であるＴＴＩにより複数のＨＡＲＱプロセスを支援する移動通信システムにおいて基地局のＴＴＩを変更するための装置であって、
前記ＴＴＩを変更することを指示する第１のＴＴＩ変更信号を受信すると、前記第１のＴＴＩ変更信号と以前のＨＡＲＱプロセスの完了時点に基づいて第２のＴＴＩ変更時点を計算し、前記第２の変更時点で変更されたＴＴＩによる新たなＴＴＩ情報を発生するＴＴＩ制御部と、
前記変更されたＴＴＩ情報によるＡＣＫ/ＮＡＣＫチャンネルの処理時間単位を決定する物理階層制御部と、
前記第２のＴＴＩ変更時点で前記ＡＣＫ/ＮＡＣＫチャンネルのＴＴＩを変更し、前記変更されたＴＴＩによりＡＣＫ/ＮＡＣＫチャンネルを通じてＡＣＫ/ＮＡＣＫ応答を伝送するＡＣＫ/ＮＡＣＫ生成器と、
を備えることを特徴とする装置。
【請求項２０】
前記第２の変更時点は、前記以前のＨＡＲＱプロセスの個数と予め定められる最大再伝送の回数に基づいて計算されることを特徴とする請求項１９記載の装置。
【請求項２１】
ＨＡＲＱと可変ＴＴＩを支援する通信システムにおけるデータ伝送方法であって、
前記ＴＴＩを変更することを指示する第１のＴＴＩ変更信号を受信する段階と、
前記変更されたＴＴＩが前記以前のＴＴＩより短い場合に、予め定められる第１のＴＴＩ変更モードにより、前記第１のＴＴＩ変更信号を受信した時点で前記ＴＴＩを変更する段階と、
前記変更されたＴＴＩが前記以前のＴＴＩより長い場合に、予め定められる第２のＴＴＩ変更モードにより、前記第１のＴＴＩ変更信号と以前のＴＴＩのＨＡＲＱプロセス完了時点に基づいて決定される第２のＴＴＩ変更時点で前記ＴＴＩを変更する段階と、
を含むことを特徴とする方法。
【請求項２２】
前記第１のＴＴＩ変更モードにより前記ＴＴＩを変更する段階は、
前記ＴＴＩ変更信号により、前記ＴＴＩ変更信号が指示する時点で前記ＴＴＩを変更し、前記変更されたＴＴＩによる新たなＨＡＲＱプロセスを設定する段階と、
前記ＴＴＩを変更した後に、以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送する段階と、
を含むことを特徴とする請求項２１記載の方法。
【請求項２３】
前記変更されたＴＴＩが以前のＴＴＩより長い場合に、前記以前のＴＴＩのＨＡＲＱプロセスＩＤが前記変更されたＴＴＩに存在しないＨＡＲＱプロセスＩＤであると、前記以前のＴＴＩのＨＡＲＱプロセスＩＤに伝送されたデータを削除する段階を含むことを特徴とする請求項２２記載の方法。
【請求項２４】
前記再伝送処理を遂行する段階は、
前記以前のＴＴＩによる各以前のＨＡＲＱプロセスのプロセスＩＤを確認し、前記変更されたＴＴＩによる新たなＨＡＲＱプロセスの個数以下のプロセスＩＤを有する以前のＨＡＲＱプロセスに対するＡＣＫ/ＮＡＣＫ応答が受信されるかを確認する段階と、
前記ＡＣＫ/ＮＡＣＫ応答が受信されると、前記ＡＣＫ/ＮＡＣＫ応答がＡＣＫであるかを判断する段階と、
前記ＡＣＫ/ＮＡＣＫ応答が受信されないか、或いは前記ＡＣＫ/ＮＡＣＫ応答がＮＡＣＫであると、同一のプロセスＩＤを有する新たなＨＡＲＱプロセスによって前記以前のＨＡＲＱプロセスのデータを再伝送する段階と、
を含むことを特徴とする請求項２２記載の方法。
【請求項２５】
前記再伝送処理を遂行する段階は、前記以前のＴＴＩのＨＡＲＱプロセスＩＤに対応するＡＣＫ/ＮＡＣＫ信号を受信しない場合に、前記以前のＴＴＩのＨＡＲＱプロセスＩＤに伝送されたデータを削除する段階を含むこと
を特徴とする請求項２４記載の方法。
【請求項２６】
前記第２のＴＴＩ変更モードにより前記ＴＴＩを変更する段階は、
前記第２のＴＴＩ変更時点以前まで以前のＴＴＩのＨＡＲＱプロセスを遂行し、前記第２のＴＴＩ変更時点で変更されたＴＴＩのＨＡＲＱプロセスを設定して新たなデータを伝送する段階を含むこと
を特徴とする請求項２１記載の方法。
【請求項２７】
前記第２の変更時点は、前記以前のＨＡＲＱプロセスの個数と予め定められる最大再伝送の回数に基づいて計算されること
を特徴とする請求項２６記載の方法。
【請求項２８】
前記第１のＴＴＩ変更時点以後に前記第２のＴＴＩ変更時点に至る以前まで新たなデータの伝送を保留し、前記以前のＨＡＲＱプロセスの再伝送処理を遂行する段階をさらに含むこと
を特徴とする請求項２６記載の方法。
【請求項２９】
ＨＡＲＱと可変ＴＴＩを支援する通信システムにおけるデータ伝送装置であって、
ＨＡＲＱプロセスに基づいて伝送されるデータを貯蔵するソフトバッファと、
変更されたＴＴＩが前記以前のＴＴＩより短い場合に、予め定められる第１のＴＴＩ変更モードにより、前記ＴＴＩ変更信号を受信した時点で前記ＴＴＩを変更し、前記変更されたＴＴＩが前記以前のＴＴＩより長い場合に、予め定められる第２のＴＴＩ変更モードにより、前記第１のＴＴＩ変更信号と以前のＴＴＩのＨＡＲＱプロセス完了時点に基づいて決定される第２のＴＴＩ変更時点で前記ＴＴＩを変更するようにＨＡＲＱプロセスを制御する制御部と、
前記制御部の制御によってデータを符号化する符号化部と、
前記制御部の制御により、ＨＡＲＱプロセスを遂行するＨＡＲＱプロセス制御部と、
を備えることを特徴とする装置。
【請求項３０】
前記第１のＴＴＩ変更モードにより前記ＴＴＩを変更する場合に、前記ＨＡＲＱ制御部は、
前記ＴＴＩ変更信号により、前記ＴＴＩ変更信号が指示する時点で前記ＴＴＩを変更し、前記変更されたＴＴＩによる新たなＨＡＲＱプロセスを設定し、前記ＴＴＩを変更した後に以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送すること
を特徴とする請求項２９記載の装置。
【請求項３１】
前記ＨＡＲＱ制御部は、前記変更されたＴＴＩが以前のＴＴＩより長い場合に、前記以前のＴＴＩのＨＡＲＱプロセスＩＤが前記変更されたＴＴＩに存在しないＨＡＲＱプロセスＩＤであると、前記以前のＴＴＩのＨＡＲＱプロセスＩＤに伝送されたデータを削除する手段を備えること
を特徴とする請求項３０記載の装置。
【請求項３２】
前記第１のＴＴＩ変更モードにより前記ＴＴＩを変更する場合に、前記ＨＡＲＱ制御部は、
前記以前のＴＴＩによる各以前のＨＡＲＱプロセスのプロセスＩＤを確認し、前記変更されたＴＴＩによる新たなＨＡＲＱプロセスの個数以下のプロセスＩＤを有する以前のＨＡＲＱプロセスに対するＡＣＫ/ＮＡＣＫ応答が受信されるかを確認し、
前記ＡＣＫ/ＮＡＣＫ応答が受信されると、前記ＡＣＫ/ＮＡＣＫ応答がＡＣＫであるかを判断し、
前記ＡＣＫ/ＮＡＣＫ応答が受信されないか、或いは前記ＡＣＫ/ＮＡＣＫ応答がＮＡＣＫであると、同一のプロセスＩＤを有する新たなＨＡＲＱプロセスによって前記以前のＨＡＲＱプロセスのデータを再伝送すること
を特徴とする請求項３０記載の装置。
【請求項３３】
前記第１のＴＴＩ変更モードにより前記ＴＴＩを変更する場合に、前記ＨＡＲＱ制御部は、
前記以前のＴＴＩのＨＡＲＱプロセスＩＤに対応するＡＣＫ/ＮＡＣＫ信号を受信しない場合に、前記以前のＴＴＩのＨＡＲＱプロセスＩＤに伝送されたデータを削除すること
を特徴とする請求項３２記載の装置。
【請求項３４】
前記第２のＴＴＩ変更モードにより前記ＴＴＩを変更する場合に、前記ＨＡＲＱ制御部は、
前記第２のＴＴＩ変更時点以前まで以前のＴＴＩのＨＡＲＱプロセスを遂行し、前記第２のＴＴＩ変更時点で変更されたＴＴＩのＨＡＲＱプロセスを設定して新たなデータを伝送すること
を特徴とする請求項２９記載の装置。
【請求項３５】
前記第２の変更時点は、前記以前のＨＡＲＱプロセスの個数と予め定められる最大再伝送の回数に基づいて計算されること
を特徴とする請求項３４記載の装置。
【請求項３６】
前記ＨＡＲＱ制御部は、前記第１の変更時点以後に前記第２の変更時点に至る以前まで新たなデータの伝送を保留し、前記以前のＨＡＲＱプロセスの再伝送処理を遂行すること
を特徴とする請求項３４記載の装置。
【請求項３７】
ＨＡＲＱと可変ＴＴＩを支援する通信システムにおけるデータ伝送方法であって、
前記ＴＴＩを変更することを指示するＴＴＩ変更信号を受信する段階と、
前記ＴＴＩ変更信号により、前記ＴＴＩ変更信号が指示する時点で以前のＴＴＩのＨＡＲＱプロセスを終了し、前記ＴＴＩ変更信号によってＴＴＩを変更する段階と、
前記ＴＴＩを変更した後に、前記変更されたＴＴＩのＨＡＲＱプロセスにより新たなデータを伝送する段階と、
を含むことを特徴とする方法。
【請求項３８】
前記ＴＴＩ変更信号を受信した時点で前記以前のＨＡＲＱプロセスのすべての再伝送処理を終了すること
を特徴とする請求項３７記載の方法。
【請求項３９】
ＨＡＲＱと可変ＴＴＩを支援する通信システムにおけるデータ伝送装置であって、
ＨＡＲＱプロセスに基づいて伝送されるデータを貯蔵するソフトバッファと、
ＴＴＩ変更信号により、前記ＴＴＩ変更信号が指示する時点で以前のＴＴＩのＨＡＲＱプロセスを終了し、変更されたＴＴＩのＨＡＲＱを設定するための制御部と、
前記制御部の制御によってデータを符号化する符号化部と、
前記制御部の制御により、前記変更されたＴＴＩのＨＡＲＱプロセスにより新たなデータを伝送するＨＡＲＱ制御部と、
を備えることを特徴とする装置。
【請求項４０】
前記ＨＡＲＱ制御部は、前記ＴＴＩ変更信号を受信した時点で前記以前のＨＡＲＱプロセス等のあらゆる再伝送処理を終了すること
を特徴とする請求項３９記載の装置。
【発明の詳細な説明】
【技術分野】
【０００１】
本発明は、アップリンクパケット伝送が行われる非同期符号分割多重接続通信システムにおいて、特に、拡張されたアップリンク伝送チャンネルＥ-ＤＣＨ(Ｅｎｈａｎｃｅｄ  Ｕｐｌｉｎｋ  Ｄｅｄｉｃａｔｅｄ  ｔｒａｎｓｐｏｒｔ  Ｃｈａｎｎｅｌ)を支援するシステムでＨＡＲＱ(Ｈｙｂｒｉｄ  Ａｕｔｏｍａｔｉｃ  Ｒｅｐｅａｔ  Ｒｅｑｕｅｓｔ)動作に基づいたＴＴＩ（Ｔｒａｎｓｍｉｔ  Ｔｉｍｅ  Ｉｎｔｅｒｖａｌ）を変更する方法及び装置に関するものである。
【背景技術】
【０００２】
Ｅ-ＤＣＨ方式は、非同期符号分割多重接続通信システムにおける逆方向通信において、新たな技術の導入を通じてパケット伝送の性能をより向上させるための目的として提案されたシステムである。新たに導入されるＥ-ＤＣＨで伝送効率を高めるために、適応的変調/コーディング(Ａｄａｐｔｉｖｅ  Ｍｏｄｕｌａｔｉｏｎ  ａｎｄ  Ｃｏｄｉｎｇ：以下、“ＡＭＣ”とする)方式、多チャンネル停止-待機混合再伝送(ｎ-ｃｈａｎｎｅｌ  Ｓｔｏｐ  Ａｎｄ  Ｗａｉｔ  ＨＡＲＱ：以下、“ｎ-ｃｈａｎｎｅｌ  ＳＡＷ  ＨＡＲＱ”とする)方式、短い伝送周期区間(ＴＴＩ)と基地局(Ｎｏｄｅ  Ｂ)制御スケジュールリング方法が使用可能である。
【０００３】
図１は、従来のＥ-ＤＣＨの動作を示す図である。
図１を参照すれば、１１０はＥ-ＤＣＨを支援する基地局（以下、Ｎｏｄｅ  Ｂ）を、１０１〜１０４はＥ-ＤＣＨを受信伝送する端末を、それぞれ示す。通信チャンネル１１１、１１２、１１３、１１４はＮｏｄｅ  Ｂ１１０と端末１０１、１０２、１０３、１０４との間に無線リンクを提供する。Ｎｏｄｅ  Ｂ１１０は、Ｅ-ＤＣＨを使用する端末１０１、１０２、１０３、１０４のチャンネル状況に基づいて各端末別にスケジュールリングを遂行する。Ｎｏｄｅ  Ｂ１１０は、システム全体の性能を高めるために、基地局の無線資源の限界を超えないようにしながら、Ｎｏｄｅ  Ｂから遠く位置した端末には低いデータレート(rate)を割り当て、近く位置した端末には高いデータレートを割り当てる。
【０００４】
図２は、従来のＥ-ＤＣＨサービスの送受信動作を示す概略的な手順図である。図２において、２０２はＥ-ＤＣＨを送信する端末で、２０１は該端末２０２が属しているＮｏｄｅ  Ｂ（すなわち、基地局）である。Ｎｏｄｅ  Ｂ２０１と端末２０２は、ステップ２０３で、Ｅ-ＤＣＨの送受信のための初期設定を遂行する。設定過程は、専用伝送チャンネル(ｄｅｄｉｃａｔｅｄ  ｔｒａｎｓｐｏｒｔ  ｃｈａｎｎｅｌ)を通したメッセージの伝達過程を含む。ステップ２０３で、Ｅ-ＤＣＨの設定が遂行された後に、端末２０２は、ステップ２０４でＮｏｄｅ  Ｂ２０１にスケジュールリング情報を知らせる。ステップ２０４のスケジュールリング情報は、それによりアップリンクチャンネル情報が知られ得る端末送信電力情報、端末が送信できる余分の電力情報、及び端末のバッファに貯蔵されている送信されるべきデータの量である。ステップ２０４で、Ｎｏｄｅ  Ｂ２０１は端末２０２からスケジューリング情報を受信する。そして、ステップ２１１で、Ｎｏｄｅ  Ｂ２０１は、受信したスケジューリング情報に基づいて端末２０２に対するＥ-ＤＣＨのスケジュールリングの遂行可否を決定する。
【０００５】
端末２０２に対するＥ-ＤＣＨのスケジュールリングを決定した場合に、Ｎｏｄｅ  Ｂ２０１は、端末２０２のためのスケジューリング割当情報を生成する。参考として、Ｎｏｄｅ  Ｂ２０１に複数の端末が属しており、これらが同時にＥ-ＤＣＨサービスを要求する場合に、Ｎｏｄｅ  Ｂ２０１はそれぞれの端末からスケジュールリング情報を受信すべきである。また、複数の端末から受信したスケジューリング情報に基づいて特定端末に対するスケジューリング割当情報が生成できる。しかしながら、本発明では説明の便宜のために、一つの端末２０２だけを考慮することにする。ステップ２０５で、Ｎｏｄｅ  Ｂ２０１は、端末２０２のために生成したスケジューリング割当情報を該端末２０２に伝送する。このとき、スケジューリング割当情報には、データレートと伝送タイミングなどに関する情報が含まれる。ステップ２０５で、スケジューリング割当情報を受信した端末２０２はスケジュールリング割当情報を用いてステップ２０７でＥ-ＤＣＨを伝送し、同時にステップ２０６で伝送されるＥ-ＤＣＨの伝送フォーマットリソースインジケータ(Ｔｒａｎｓｐｏｒｔ  Ｆｏｒｍａｔ  Ｒｅｓｏｕｒｃｅ  Ｉｎｄｉｃａｔｏｒ：以下、“ＴＦＲＩ”とする)を示すように、Ｅ-ＤＣＨと共にＮｏｄｅ  Ｂ２０１に伝送する。このＥ-ＤＣＨを受信したＮｏｄｅ  Ｂ２０１はＴＦＲＩやＥ-ＤＣＨに対する誤り有無を判断する（ステップ２１３）。その結果、いずれか一つでも誤りが発生した場合はＮＡＣＫ情報を、そしていずれの誤りもない場合はＡＣＫ情報を、ステップ２０８でＡＣＫ/ＮＡＣＫチャンネルを通じて端末２０２に伝送する。このとき、ＡＣＫ/ＮＡＣＫチャンネルは、従来の下向リンクＤＰＤＣＨ(Ｄｅｄｉｃａｔｅｄ  Ｐｈｙｓｉｃａｌ  Ｄａｔａ  Ｃｈａｎｎｅｌ)又は下向リンクＤＰＣＣＨ(Ｄｅｄｉｃａｔｅｄ  Ｐｈｙｓｉｃａｌ  Ｃｏｎｔｒｏｌ  Ｃｈａｎｎｅｌ)などが利用可能である。また、従来の他のチャンネルとタイムマルチプレクシング(ｔｉｍｅ  ｍｕｌｔｉｐｌｅｘｉｎｇ)され、或いは、別途のチャンネルに定義されて伝送される。
【０００６】
以下、ｎ-チャンネルＳＡＷ  ＨＡＲＱ方式を詳細に説明する。
ｎ-チャンネルＳＡＷ  ＨＡＲＱ方式は、通常のＳＡＷ  ＡＲＱ方式の効率を向上させるために、次の２つの方案を新たに導入した方式を称する一般的な用語である。
【０００７】
まず、受信側は誤りが発生したデータを一時的に貯蔵してから該当データの再伝送分と結合して誤り発生確率を減少させる。この過程は、ソフトコンバイニング(ｓｏｆｔ  ｃｏｍｂｉｎｉｎｇ)と呼ばれる。ソフトコンバイニングでは、チェースコンバイニング(Ｃｈａｓｅ  Ｃｏｍｂｉｎｉｎｇ：以下、ＣＣ)と重複分増加(Ｉｎｃｒｅｍｅｎｔａｌ  Ｒｅｄｕｎｄａｎｃｙ：以下、ＩＲ)の２つの技法がある。
【０００８】
ＣＣにおいて、送信側はデータの初期伝送と再伝送に同一の伝送フォーマットを使用する。もし、データの初期伝送にｍ個のシンボルが一つのコーディングされたブロックに伝送されると、再伝送の際にも同一のｍ個のシンボルが伝送される。すなわち、データの初期伝送と再伝送に同一のコーディングレート(ｃｏｄｉｎｇ  ｒａｔｅ)が適用される。受信側は、初期伝送されたデータブロックと再伝送されたデータブロックとを結合し、この結合されたデータブロックを利用してＣＲＣ演算を行い、誤りの発生有無を確認する。
【０００９】
ＩＲにおいて、送信側は、初期伝送と再伝送に相違した伝送フォーマットを使用する。ｎビットのユーザーデータがチャンネルコーディングを経てｍ個のシンボルになると、送信側は、初期伝送でこのｍ個のシンボルのうちの一部のみを伝送し、再伝送の際には初期伝送時に伝送されない残りの部分を順次に伝送する。すなわち、初期伝送と再伝送のコーディングレートが相互に異なる。受信側は、初期伝送されたデータブロックの後部分に再伝送時に伝送されたデータブロックを付けて、コーディングレートの高いデータブロックを構成した後に、誤り訂正(ｅｒｒｏｒ  ｃｏｒｒｅｃｔｉｏｎ)を実行する。ＩＲにおいて、初期伝送のデータブロックと再伝送時のデータブロックはバージョン番号で区分される。初期伝送がバージョン１、再伝送がバージョン２、その次の再伝送がバージョン３などとして命名され、受信側は、バージョン情報を用いて初期伝送されたデータブロックと再伝送されたデータブロックとを望ましく結合することができる。
【００１０】
ｎ-チャンネルＳＡＷ  ＨＡＲＱで、通常のＳＡＷ  ＡＲＱ方式の効率を高めるために導入された第２の方式は、次の通りである。通常のＳＡＷ  ＡＲＱ方式では、以前のパケットのＡＣＫを受信しなければ、次のパケットを伝送することができなかった。しかしながら、ｎ-チャンネルＳＡＷ  ＨＡＲＱでは、ＡＣＫを受信しない状態で、多数のパケットを連続的に伝送して無線リンクの使用効率を向上させる。ｎ-チャンネルＳＡＷ  ＨＡＲＱでは、ユーザー端末と基地局との間にｎ個の論理的なチャンネルを設定し、受信側で特定時間又はチャンネル番号によってそのチャンネルを識別すると、受信側では任意の時点で受信したパケットがいずれのチャンネルに属するパケットであるかがわかり、受信すべき順序にパケットを再構成し、或いは該当パケットをソフトコンバイニングするなど、ＨＡＲＱプロセスを独立的に進行可能である。
【００１１】
図３は、ＨＡＲＱを支援するパケットデータ伝送を示す時間構造図である。ここではチャンネルの個数を４であると仮定した場合であって、４個の独立的なＨＡＲＱプロセスの遂行が可能である。まず、端末は、パケットデータをＴＴＩ単位で伝送する。端末がＨＡＲＱプロセス＃１  ３０１を伝送する場合について説明する。端末がＨＡＲＱプロセス＃１  ３０１を伝送すると、ＨＡＲＱプロセス＃１  ３０１は、一定伝播（ｐｒｏｐａｇａｔｉｏｎ）時間Ｔｐｒｏｐ３０２以後にＮｏｄｅ  Ｂ２０１に到着する。Ｎｏｄｅ  Ｂ２０１は、該当ＴＴＩ３０３だけデータを受信した後に、受信データに対する復調を遂行する。その復調の結果、誤りが発生しないと、Ｎｏｄｅ  ＢはＡＣＫ信号３０４を生成し、一方、誤りが発生すると、Ｎｏｄｅ  ＢはＮＡＣＫ信号を生成する。このとき、Ｎｏｄｅ  Ｂがデータを受信してＡＣＫ/ＮＡＣＫを生成するのに必要とする時間はＴＮＢＰ３０５に該当し、この時間はデータのサイズと受信器の特性に応じて変化する。基地局が送信したＡＣＫ/ＮＡＣＫは、伝播時間Ｔｐｒｏｐ３０６以後に端末に到着する。端末は、このような時間を考慮して該当チャンネルのＡＣＫ/ＮＡＣＫ応答がいずれのフレームに到着するかが計算できる。言い換えれば、ＨＡＲＱプロセス＃１  ３０１を通じてデータが送信されると、端末２０２は、少なくとも‘２ＸＴｐｒｏｐ＋ＴＮＢＰ’以後に受信するＡＣＫ/ＮＡＣＫ情報がＨＡＲＱプロセス＃１  ３０１に対するＡＣＫ/ＮＡＣＫであることがわかる。しかしながら、正確な時間関係は、この時間と最大支援可能なＨＡＲＱチャンネルの個数によって決定される。また、図３に示すように、ＨＡＲＱプロセス＃１のＡＣＫ/ＮＡＣＫは、常にタイム３０７（ＴＡＣＫ）のフレームに伝送される。定められた時点で、端末２０２がＨＡＲＱプロセス＃１に対するＡＣＫを受信すると、タイム３０７に該当する次のＴＴＩに対して新たなパケットを伝送し、一方ＮＡＣＫを受信すると、上記に説明したＣＣ又はＩＲ方法を使用してバッファに貯蔵されたＨＡＲＱプロセス＃１に対するデータを再伝送するようになる。また、指定されたフレームでＡＣＫ又はＮＡＣＫを受信しないと、端末は、該当チャンネルのパケット伝送が失敗したと判断し、やはり再伝送過程を遂行する。ＡＣＫを受信し、初期伝送又は再伝送を遂行するのにかかる端末のプロセス時間は、図３でＴＵＥＰ３０８に該当する。
【００１２】
このようなＨＡＲＱ動作は、ＴＴＩ単位で遂行され、現在のＥ-ＤＣＨサービスのためには２ｍｓの短いＴＴＩと、１０ｍｓの長いＴＴＩが論議されている。
【００１３】
長いＴＴＩを使用すると、既存のＲ９９ＤＰＤＣＨ構造をその通りに適用できるという長所を有するが、短いＴＴＩに比べて長い遅延(ｄｅｌａｙ)を有するという短所がある。短いＴＴＩを使用すると、遅延を短縮することができるという長所を有するが、既存のＤＰＣＨより短いＴＴＩを使用するため、新たな物理階層チャンネルが必要で、既存のデータのＴＦＣＩに対する別途のシグナルリング方法が必要となる。短いＴＴＩを使用する一番簡単な方法は、新たなコードチャンネルを追加する方法であって、この方法は、ピーク対平均パワーの比率(Ｐｅａｋ  ｔｏ  Ａｖｅｒａｇｅ  Ｒａｔｉｏ)を増加させるという短所を有する。上記のように、短いＴＴＩと長いＴＴＩがそれぞれの長短所を有するため、Ｅ-ＤＣＨサービスのために２つのＴＴＩを条件に従って使用可能であると、全体サービスの効率性を増加させうる。端末又はＮｏｄｅ  Ｂが条件に応じて可変的に使用される場合に、ＨＡＲＱに対する影響を考慮すべきである。
【００１４】
上記したような従来技術によるパケット伝送は、ＴＴＩ単位で発生する。したがって、該当ＴＴＩが変更された場合に、この変更されたＴＴＩによりデータを送受信し、それに対するＡＣＫ/ＮＡＣＫの送受信及びパケットの再伝送を含む一連のＨＡＲＱ動作がＴＴＩにより変更されなければならない。すなわち、ＴＴＩの変更時点でＨＡＲＱ動作が完了しない場合に、初期伝送時のＴＴＩは変更以後のＴＴＩと異なるように発生する。したがって、ＨＡＲＱ動作を考慮したＴＴＩ変更に対する具体的な方法が求められる。
【発明の開示】
【発明が解決しようとする課題】
【００１５】
したがって、従来技術の問題点を解決するために、本発明の目的は、ＨＡＲＱを支援するシステムで、ＴＴＩを可変してアップリンクパケット伝送の性能を向上させようとするときに、ＴＴＩ変更時点で進行しているＨＡＲＱ動作に対する影響を最小化することによって、ＴＴＩの変更によるシステム性能を向上させる方法及び装置を提供することにある。
【００１６】
また、本発明の目的は、ＨＡＲＱを支援する環境でＴＴＩを可変的に制御してアップリンクパケット伝送システムの性能を向上させようとするときに、效率的にＴＴＩを変更する方法及び装置を提供することにある。
【００１７】
本発明の他の目的は。上記に提案されたＴＴＩ変更方法を実現するために定義されるパラメーターｄを提供することにある。
【課題を解決するための手段】
【００１８】
本発明の目的を達成するために本発明の第１実施形態により、ＨＡＲＱ(Ｈｙｂｒｉｄ  Ａｕｔｏｍａｔｉｃ  Ｒｅｐｅａｔ  Ｒｅｑｕｅｓｔ)と可変ＴＴＩ(Ｔｒａｎｓｉｔ  Ｔｉｍｅ  Ｉｎｔｅｒｖａｌ)を支援する通信システムにおけるデータ伝送方法は、前記ＴＴＩを変更することを指示するＴＴＩ変更信号を受信する段階と、前記ＴＴＩ変更信号により、前記ＴＴＩ変更信号が指示する時点で前記ＴＴＩを変更し、前記変更されたＴＴＩによる新たなＨＡＲＱプロセスを設定する段階と、前記ＴＴＩを変更した後に、以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送する段階と、を含むことを特徴とする。
【００１９】
本発明の第１実施形態により、ＨＡＲＱと可変ＴＴＩを支援する通信システムにおけるデータ伝送装置は、ＨＡＲＱプロセスに基づいて伝送されるデータを貯蔵するソフトバッファと、ＴＴＩ変更信号によりＨＡＲＱプロセスを制御する制御部と、前記制御部の制御によってデータを符号化する符号化部と、前記制御部の制御により、ＴＴＩ変更信号によって前記ＴＴＩ変更信号が指示する時点で前記ＴＴＩを変更し、前記変更されたＴＴＩによる新たなＨＡＲＱプロセスを設定し、前記ＴＴＩを変更した後に、以前のＴＴＩのＨＡＲＱプロセスのうちの少なくとも一つを、ＡＣＫ/ＮＡＣＫ信号により、変更されたＴＴＩの同じＨＡＲＱプロセスで再伝送し、変更されたＴＴＩの残りのＨＡＲＱプロセスで新たなデータを伝送するように動作するＨＡＲＱ制御部と、を備えることを特徴とする。
【００２０】
本発明の第１実施形態により、ＨＡＲＱと可変ＴＴＩを支援する通信システムにおいて基地局のＴＴＩを変更するための方法は、前記ＴＴＩを変更することを指示するＴＴＩ変更信号を受信する段階と、前記ＴＴＩ変更信号により、前記ＴＴＩ変更信号が指示する時点でＡＣＫ/ＮＡＣＫチャンネルのＴＴＩを変更する段階と、前記ＴＴＩを変更した後に、ユーザー端末から受信したパケットデータが以前のＴＴＩのＨＡＲＱプロセスによって伝送されるか、或いは変更されたＴＴＩのＨＡＲＱプロセスによって伝送されるかを判断する段階と、前記パケットデータが変更されたＴＴＩによって伝送される場合に、前記パケットデータの誤り有無によるＡＣＫ/ＮＡＣＫ応答を前記ＡＣＫ/ＮＡＣＫチャンネルを通じて前記ユーザー端末に伝送する段階と、を含むことを特徴とする。
【００２１】
本発明の第１実施形態により、ＨＡＲＱと可変ＴＴＩを支援する通信システムにおいて基地局のＴＴＩを変更するための装置は、前記ＴＴＩを変更することを指示するＴＴＩ変更信号を受信すると、変更されたＴＴＩによる新たなＴＴＩ情報を発生するＴＴＩ制御部と、前記新たなＴＴＩ情報によるＡＣＫ/ＮＡＣＫチャンネルの処理時間単位を決定する物理階層制御部と、前記新たなＴＴＩ情報によるＡＣＫ/ＮＡＣＫチャンネルの処理時間単位に同期して前記ＡＣＫ/ＮＡＣＫチャンネルのＴＴＩを変更した後に、ユーザー端末から受信されたパケットデータが以前のＴＴＩのＨＡＲＱプロセスによって伝送されるか、或いは変更されたＴＴＩのＨＡＲＱプロセスによって伝送されるかを判断し、前記パケットデータが変更されたＴＴＩによって伝送される場合には、前記パケットデータの誤り有無によるＡＣＫ/ＮＡＣＫ応答を前記ＡＣＫ/ＮＡＣＫチャンネルを通じて伝送するＡＣＫ/ＮＡＣＫ生成器と、を備えることを特徴とする。
【００２２】
本発明の第２実施形態により、ＨＡＲＱと可変ＴＴＩを支援する通信システムにおけるデータ伝送方法は、前記ＴＴＩを変更することを指示する第１のＴＴＩ変更信号を受信する段階と、前記第１のＴＴＩ変更信号と以前のＴＴＩのＨＡＲＱプロセス完了時点に基づいて第２のＴＴＩ変更時点を計算する段階と、前記第２のＴＴＩ変更時点以前まで、以前のＴＴＩのＨＡＲＱプロセスを遂行し、前記第２のＴＴＩ変更時点で変更されたＴＴＩのＨＡＲＱプロセスを設定して新たなデータを伝送する段階と、を含むことを特徴とする。
【００２３】
本発明の第２実施形態により、ＨＡＲＱと可変ＴＴＩを支援する通信システムにおけるデータ伝送装置は、ＨＡＲＱプロセスを考慮して伝送されるデータを貯蔵するソフトバッファと、第１のＴＴＩ変更信号と以前のＴＴＩのＨＡＲＱプロセス完了時点に基づいて第２のＴＴＩ変更時点を計算し、前記第２のＴＴＩ変更時点によってＨＡＲＱプロセスを制御する制御部と、前記制御部の制御によってデータを符号化する符号化部と、前記第２のＴＴＩ変更時点以前まで、以前のＴＴＩのＨＡＲＱプロセスを遂行し、前記第２のＴＴＩ変更時点で変更されたＴＴＩのＨＡＲＱプロセスを設定して新たなデータを伝送するＨＡＲＱ制御部と、を備えることを特徴とする。
【００２４】
本発明の第２実施形態による基地局方法は、ＨＡＲＱと可変ＴＴＩを支援する通信システムにおいて基地局のＴＴＩを変更する方法であって、前記ＴＴＩを変更することを指示する第１のＴＴＩ変更信号を受信する段階と、前記第１のＴＴＩ変更信号と以前のＴＴＩのＨＡＲＱプロセス完了時点に基づいて第２のＴＴＩ変更時点を計算する段階と、前記第１のＴＴＩ変更時点以後に前記第２のＴＴＩ変更時点に至る以前まで前記以前のＴＴＩによりＡＣＫ/ＮＡＣＫチャンネルを通じてＡＣＫ/ＮＡＣＫ応答を伝送する段階と、前記第２のＴＴＩ変更時点でＡＣＫ/ＮＡＣＫチャンネルのＴＴＩを変更し、変更されたＴＴＩによりＡＣＫ/ＮＡＣＫチャンネルを通じてＡＣＫ/ＮＡＣＫ応答を伝送する段階と、を含むことを特徴とする。
【００２５】
本発明の第２実施形態による基地局装置は、データ伝送単位であるＴＴＩにより複数のＨＡＲＱプロセスを支援する移動通信システムにおいて基地局のＴＴＩを変更するための装置であって、前記ＴＴＩを変更することを指示する第１のＴＴＩ変更信号を受信すると、前記第１のＴＴＩ変更信号と以前のＨＡＲＱプロセスの完了時点に基づいて第２のＴＴＩ変更時点を計算し、前記第２の変更時点で変更されたＴＴＩによる新たなＴＴＩ情報を発生するＴＴＩ制御部と、前記変更されたＴＴＩ情報によるＡＣＫ/ＮＡＣＫチャンネルの処理時間単位を決定する物理階層制御部と、前記第２のＴＴＩ変更時点で前記ＡＣＫ/ＮＡＣＫチャンネルのＴＴＩを変更し、前記変更されたＴＴＩによりＡＣＫ/ＮＡＣＫチャンネルを通じてＡＣＫ/ＮＡＣＫ応答を伝送するＡＣＫ/ＮＡＣＫ生成器と、を備えることを特徴とする。
【００２６】
本発明の第３実施形態により、ＨＡＲＱと可変ＴＴＩを支援する通信システムにおけるデータ伝送方法は、前記ＴＴＩを変更することを指示する第１のＴＴＩ変更信号を受信する段階と、前記変更されたＴＴＩが前記以前のＴＴＩより短い場合に、予め定められる第１のＴＴＩ変更モードにより、前記第１のＴＴＩ変更信号を受信した時点で前記ＴＴＩを変更する段階と、前記変更されたＴＴＩが前記以前のＴＴＩより長い場合に、予め定められる第２のＴＴＩ変更モードにより、前記第１のＴＴＩ変更信号と以前のＴＴＩのＨＡＲＱプロセス完了時点に基づいて決定される第２のＴＴＩ変更時点で前記ＴＴＩを変更する段階と、を含むことを特徴とする。
【００２７】
本発明の第３実施形態により、ＨＡＲＱと可変ＴＴＩを支援する通信システムにおけるデータ伝送装置は、ＨＡＲＱプロセスに基づいて伝送されるデータを貯蔵するソフトバッファと、変更されたＴＴＩが前記以前のＴＴＩより短い場合に、予め定められる第１のＴＴＩ変更モードにより、前記ＴＴＩ変更信号を受信した時点で前記ＴＴＩを変更し、前記変更されたＴＴＩが前記以前のＴＴＩより長い場合に、予め定められる第２のＴＴＩ変更モードにより、前記第１のＴＴＩ変更信号と以前のＴＴＩのＨＡＲＱプロセス完了時点に基づいて決定される第２のＴＴＩ変更時点で前記ＴＴＩを変更するようにＨＡＲＱプロセスを制御する制御部と、前記制御部の制御によってデータを符号化する符号化部と、前記制御部の制御により、ＨＡＲＱプロセスを遂行するＨＡＲＱプロセス制御部と、を備えることを特徴とする。
【００２８】
本発明の第４実施形態により、ＨＡＲＱと可変ＴＴＩを支援する通信システムにおけるデータ伝送方法は、前記ＴＴＩを変更することを指示するＴＴＩ変更信号を受信する段階と、前記ＴＴＩ変更信号により、前記ＴＴＩ変更信号が指示する時点で以前のＴＴＩのＨＡＲＱプロセスを終了し、前記ＴＴＩ変更信号によってＴＴＩを変更する段階と、前記ＴＴＩを変更した後に、前記変更されたＴＴＩのＨＡＲＱプロセスにより新たなデータを伝送する段階と、を含むことを特徴とする。
【００２９】
本発明の第４実施形態により、ＨＡＲＱと可変ＴＴＩを支援する通信システムにおけるデータ伝送装置は、ＨＡＲＱプロセスに基づいて伝送されるデータを貯蔵するソフトバッファと、ＴＴＩ変更信号により前記ＴＴＩ変更信号が指示する時点で以前のＴＴＩのＨＡＲＱプロセスを終了し、変更されたＴＴＩのＨＡＲＱを設定するための制御部と、前記制御部の制御によってデータを符号化する符号化部と、前記制御部の制御により、前記変更されたＴＴＩのＨＡＲＱプロセスにより新たなデータを伝送するＨＡＲＱ制御部と、を備えることを特徴とする。
【発明の効果】
【００３０】
本発明は、拡張されたアップリンクチャンネルを用いてパケットデータサービスを使用する移動通信システムにおいて、ＨＡＲＱ技術が適用された場合にＴＴＩを変更しようとするときに、変更時点でＨＡＲＱ動作を考慮した端末とＮｏｄｅ  ＢのＴＴＩ変更方法を提案してＨＡＲＱの性能を低下することなく、ＴＴＩ変更を可能にする効果がある。
【発明を実施するための最良の形態】
【００３１】
以下、本発明の望ましい実施形態を添付の図面を参照して詳細に説明する。下記に、本発明に関連した公知機能又は構成に関する具体的な説明が本発明の要旨を不明にすると判断される場合に、その詳細な説明を省略する。そして、後述する用語は、本発明における機能に基づいて定義された用語であって、これはユーザー、運用者の意図又は慣例などによって変更されることができる。したがって、これら用語は、本明細書の全体にかけた内容に基づいて定義されるべきである。
【００３２】
従来技術による問題を解決するために案出された本発明は、ＴＴＩ変更時点でソフトバッファに残っているデータを削除し、伝送しない。しかしながら、ＨＡＲＱが適用されたシステムで、毎伝送時に使われる送信電力は、全体伝送回数を考慮して最大再伝送以後のブロック誤り率が一定値以下となるように設定され、それによって、再伝送を遂行しないと、該当データの正常な受信はほとんど不可能である。このようなパケットデータのサービス種類が、ＲＬＣ階層のＡＭである場合に、ＲＬＣレベルでＡＲＱを通して復元が可能であるが、この場合、ＨＡＲＱの効率性が低下するようになる。したがって、本発明ではＴＴＩが変更される場合に、ＨＡＲＱが最大限正常に進行してデータの損失を減少させるＴＴＩ変更方法を、次のように４つの方法で提案する。
【００３３】
方法１：変更されたＴＴＩを用いて再伝送を遂行する方法。
方法２：進行中であるＨＡＲＱを終了した後にＴＴＩを変更する方法。
方法３：条件に従ってＴＴＩを変更する方法を異なる方式で使用する方法。
方法４：ＨＡＲＱ動作中にＴＴＩが変更された場合、ソフトバッファに残っているデータをすべて廃棄し、変更されたＴＴＩを用いて新たなデータのみを伝送する方法。
【００３４】
以下、それぞれの方法を実施形態を通して説明する。
【００３５】
（第１の実施形態）
本発明による第１の実施形態は、ＨＡＲＱ動作中にＴＴＩが変更された場合に、ソフトバッファに残っているデータの再伝送を、変更されたＴＴＩを用いて伝送する方法である。
以下、図４Ａ及び図４Ｂを参照して、ＴＴＩ変更の際に解決すべき問題点について説明する。
【００３６】
図４Ａは、１０ｍｓのＴＴＩから２ｍｓのＴＴＩに進行する場合を示す図である。図４Ａを参照すれば、端末において、ＴＴＩは、該当するフレーム４０５で変更され、Ｎｏｄｅ  Ｂにおいて、ＴＴＩは該当するフレーム４０９で変更される。この場合に、各ＨＡＲＱプロセスの状態を説明すると、次のようである。ＴＴＩの変更直前にＨＡＲＱプロセス＃１  ４０１の場合は、ＡＣＫ/ＮＡＣＫ応答の受信が可能であるが、ＨＡＲＱプロセス＃２  ４０３、ＨＡＲＱプロセス＃３  ４０４の場合は、次のプロセスの伝送時点以前にＡＣＫ/ＮＡＣＫを受信することが不可能である。Ｎｏｄｅ  Ｂも＃３のＡＣＫ/ＮＡＣＫを伝送すべきであるが、ＴＴＩが変更された後に２ｍｓのＴＴＩに対して伝送されるパケットのＡＣＫ/ＮＡＣＫ伝送時間と重なるようになる。正常なＨＡＲＱ動作のためには、１０ｍｓのＴＴＩ又は２ｍｓのＴＴＩの一部パケットデータに対するＡＣＫ/ＮＡＣＫ伝送可否を決定すべきである。
【００３７】
図４Ｂは、２ｍｓのＴＴＩから１０ｍｓのＴＴＩに伝送する場合を示す図であって、方法１を単純に適用する場合に、下記のような問題が発生する。１０ｍｓから２ｍｓにＴＴＩが遷移する場合のように、ＡＣＫ/ＮＡＣＫ伝送が重なる問題は発生しないが、ＨＡＲＱプロセスの個数の差によって再伝送の問題が発生する。
【００３８】
図４Ｂを参照すれば、パケット４１３、４１４に対するＡＣＫ/ＮＡＣＫ情報を正常に受信するとしても、再伝送を遂行しようとする場合に、１０ｍｓのＴＴＩでマッピングされるソフトバッファが割り当てられないため、Ｎｏｄｅ  Ｂが正常なソフトコンバイニングを遂行しない。
【００３９】
以下、本発明の方法１で、ソフトコンバイニングが可能なＨＡＲＱプロセスを通じて伝送されるデータのみに対して再伝送を遂行する場合について説明する。
この場合に、ＴＴＩの変更直後に再伝送されるべき(既存のソフトバッファに残っている)データに対するＡＣＫ/ＮＡＣＫを受信しない場合でも、該当ＨＡＲＱプロセスの伝送区間に至ると、ユーザー端末はソフトバッファに残っているデータの再伝送を遂行する。
【００４０】
以下、具体的な実施形態を通じて方法１を適用した望ましいＴＴＩ変更方法について説明する。
図５Ａ及び図５Ｂは、本発明の方法１の動作を示す図である。ここで、２ｍｓのＴＴＩである場合にＨＡＲＱプロセスの個数を５に設定し、１０ｍｓのＴＴＩである場合にはＨＡＲＱプロセスの個数を３に設定する。ＴＴＩ変更時点に関する情報は、ＣＦＮ(Ｃｏｎｎｅｃｔｉｏｎ  Ｆｒａｍｅ  Ｎｕｍｂｅｒ)単位に設定可能なので、フレーム単位で発生する。Ｎｏｄｅ  Ｂでは、ＨＡＲＱを考慮して端末のＴＴＩが変更される時点と一致するＡＣＫ/ＮＡＣＫチャンネルのＣＦＮでＴＴＩ変更を遂行する。
【００４１】
図５Ａは、２ｍｓのＴＴＩから１０ｍｓのＴＴＩに遷移する場合を示す図である。図５Ａに示すように、端末が２ｍｓ単位でＨＡＲＱプロセス＃１、＃２、＃３、＃４、＃５を用いてＥ-ＤＣＨを通じてパケットデータを伝送し、Ｎｏｄｅ  Ｂはパケットデータに対するＡＣＫ/ＮＡＣＫ信号を判断して順方向ＡＣＫ/ＮＡＣＫチャンネルを通じて端末に伝送する。端末は、このＡＣＫ/ＮＡＣＫ信号に基づいてパケットデータを再伝送し、或いは他のパケットデータを初期伝送するようになる。
【００４２】
時点５０６で、端末はＴＴＩ変更に関する情報を受信し、ＴＴＩ変更情報によりＴＴＩを変更し、変更されたＴＴＩによる新たなＨＡＲＱプロセスを設定するようになる。端末は、ＴＴＩが変更された後に、図５Ａで５０５のように変更されたＴＴＩ単位で伝送を始めるようになる。ＨＡＲＱ動作と関連して説明すると、２ｍｓのＴＴＩから１０ｍｓのＴＴＩに遷移する場合に、１０ｍｓＴＴＩのＡＣＫ/ＮＡＣＫ伝送時点と２ｍｓＴＴＩの伝送時点が重ならないため、端末は、２ｍｓＴＴＩのすべてのＨＡＲＱプロセスに対するＡＣＫ/ＮＡＣＫ応答を受信することができる。例えば、２ｍｓのＴＴＩで伝送した＃２のパケットデータに対して５０７と共にＮｏｄｅ  ＢからＮＡＣＫ応答を受信した場合、端末は、＃２のパケットデータの再伝送を２ｍｓＴＴＩのＨＡＲＱプロセス＃２を用いて処理せず、１０ｍｓＴＴＩのＨＡＲＱプロセス＃２を用いて処理する。但し、＃４と＃５のパケットデータ５０３、５０４の場合に、１０ｍｓＴＴＩのＨＡＲＱプロセスでソフトコンバイニングが不可能なので、ユーザー端末はＡＣＫ/ＮＡＣＫ応答と関係なく、２ｍｓＴＴＩのＨＡＲＱプロセス＃４、＃５に関連したソフトバッファのデータを削除する。また、２ｍｓＴＴＩのＴＦＣセットと１０ｍｓＴＦＣセットが同一でなくて、ＴＴＩの遷移以後に変更されたＴＴＩの内で支援可能なＴＦＣがない場合にも、以前のＨＡＲＱプロセスに関連したソフトバッファのデータを削除するようになる。
【００４３】
図５Ｂは、本発明の方法１が適用された１０ｍｓのＴＴＩから２ｍｓのＴＴＩに遷移する場合を示す図である。
図５Ｂに示すように、２ｍｓのＴＴＩを１０ｍｓのＴＴＩに変更する方法と同様に、端末は、上位シグナルリングを通じて与えられたＴＴＩ変更情報に合わせてＴＴＩを変更する。順方向ＡＣＫ/ＮＡＣＫチャンネルの場合、Ｅ-ＤＣＨが変更される時点に該当する順方向ＡＣＫ/ＮＡＣＫチャンネルのフレームが終了する時点でＴＴＩが変更される。１０ｍｓのＨＡＲＱプロセス＃１  ５１３の場合には、ＡＣＫ/ＮＡＣＫを受信することが可能なため、２ｍｓのＨＡＲＱプロセス＃１  ５１６が１０ｍｓのＨＡＲＱプロセス＃１  ５１３に対するＡＣＫ/ＮＡＣＫ応答５１７を受信し、ＡＣＫ/ＮＡＣＫ応答５１７がＮＡＣＫである場合に、該当パケットデータを再伝送する。しかしながら、１０ｍｓのＨＡＲＱプロセス＃２、＃３  ５１４、５１５の場合には、２ｍｓのＨＡＲＱプロセス＃２、＃３がパケットデータを伝送し始める時点以前まで１０ｍｓのＨＡＲＱプロセス＃２、＃３  ５１４、５１５に該当するＡＣＫ/ＮＡＣＫ応答を受信することが不可能である。これは、順方向ＡＣＫ/ＮＡＣＫチャンネル５１９のフレームが終わる時点で、ＡＣＫ/ＮＡＣＫチャンネルのＴＴＩが変更されるためである。したがって、図５Ｂに示すように、２ｍｓのＨＡＲＱプロセス＃３  ５１６は、１０ｍｓのＨＡＲＱプロセス＃３  ５１５に関連したＡＣＫ/ＮＡＣＫ応答と関係なく該当パケットデータを再伝送するようになる。
【００４４】
以下、図６Ａを参照して、本発明による方法１が適用される時のＴＴＩ変更のための端末とＮｏｄｅ  Ｂの動作手順が説明される。もしＴＴＩが変更され、ソフトバッファに以前のＴＴＩに伝送されたデータが存在する場合、すなわち、再伝送データがある場合に、該当データのＨＡＲＱ動作が終了するまで、端末は図６Ａの手順に従って動作する。端末は、以前のＴＴＩで動作したＨＡＲＱプロセスのそれぞれに対して、下記の図６Ａの手順を遂行する。
【００４５】
図６Ａを参照すれば、ステップ６０１で、端末は、上位シグナルリングによって与えられた変更時点に合わせてＴＴＩを変更する。ステップ６０２で、端末は、以前のＴＴＩで動作したＨＡＲＱプロセスＩＤが新たなＴＴＩのＨＡＲＱプロセスの全体個数以下であるかをチェックし、もし、ＨＡＲＱプロセスＩＤが新たなＴＴＩのＨＡＲＱプロセスの全体個数より大きい場合に、ステップ６０３において、以前のＴＴＩで動作したＨＡＲＱプロセスに関連したソフトバッファのデータを削除する。
【００４６】
一方、ＨＡＲＱプロセスＩＤが新たなＴＴＩで支援可能な場合には、ＨＡＲＱプロセスＩＤに該当するデータに対するＡＣＫ/ＮＡＣＫ応答を受信したかをステップ６０４でチェックし、ＡＣＫ/ＮＡＣＫ応答が受信された場合には、ＡＣＫ/ＮＡＣＫ応答がＡＣＫであるか、或いは、ＮＡＣＫであるかをステップ６０５でチェックする。応答を受信しない場合や受信した応答がＮＡＣＫである場合に、ステップ６０７で、端末は、該当するデータの再伝送を遂行する。ここで、再伝送は、ＨＡＲＱプロセスＩＤと同一のＨＡＲＱプロセスＩＤを有する変更されたＴＴＩのＨＡＲＱプロセスによって遂行される。
【００４７】
チェックの結果として、ＡＣＫ応答を受信した場合に、ステップ６０６で、該当データのＨＡＲＱプロセス動作、すなわち、再伝送動作を完了する。
Ｎｏｄｅ  Ｂの場合に、図６Ｂのような動作手順が必要である。すなわち、Ｎｏｄｅ  Ｂは、ステップ６０８でＥ-ＤＣＨの変更時点に合わせてＡＣＫ/ＮＡＣＫチャンネルのＴＴＩを変更し、ステップ６０９でＥ-ＤＣＨを通じて受信したパケットデータのＴＴＩを確認する。以前のＴＴＩである場合に、ステップ６１１でＡＣＫ/ＮＡＣＫを送信せず、新たなＴＴＩである場合にステップ６１０でＡＣＫ/ＮＡＣＫを送信する。
【００４８】
以下、方法１の実施形態を実現するための望ましいＮｏｄｅ  Ｂと端末の送受信装置について説明する。
まず図７は、本発明の第１実施形態を実現するための端末の送信装置を示すブロック構成図である。
【００４９】
図７を参照すれば、基本的な変復調装置は既存の送信器構造と同一なので省略し、本発明では説明において必要な一部構造のみを図示する。図７のブロック７０１、７０２、７０３、７０５は実際のデータが処理されるコーディングチェーンで、下記に言及されるＭＡＣ-ｅ(Ｍｅｄｉａ  Ａｃｃｅｓｓ  Ｃｏｎｔｒｏｌ  Ｅ-ＤＣＨ)は、Ｅ-ＤＣＨの処理を担当するエンティティ（ｅｎｔｉｔｙ）を意味する。Ｅ-ＤＣＨデータが発生すると、ＭＡＣ-ｅ制御器７０６は、Ｅ-ＤＣＨデータを伝送する最大データレートを決定する。
【００５０】
ＴＦＣ選択ブロック７０７は、ＭＡＣ-ｅ制御器７０６から最大データレート情報を受信してＴＦＣを選択する。ＴＴＩ制御器７０９は、ＴＴＩ変更時点と新たなＴＴＩに対する情報が与えられると、ＴＴＩ変更時点でＴＦＣ選択ブロック７０７と物理階層制御器７１０に新たなＴＴＩ情報を伝送する。ＴＦＣが選択されると、ＭＡＣ-ｅ  ＰＤＵ生成部７０１でＥ-ＤＣＨデータを含むＭＡＣ-ｅ  ＰＤＵが生成され、このＭＡＣ-ｅ  ＰＤＵはコーディング部７０２と１次レートマッチング部７０３を経てＨＡＲＱ制御器７０４に伝送される。
【００５１】
ＨＡＲＱ制御器７０４は、再伝送の最大回数内でＡＣＫ/ＮＡＣＫ応答を受信しないデータをそれぞれのＨＡＲＱプロセスのためのソフトバッファ７１１に貯蔵しておく。ＡＣＫを受信すると、ＨＡＲＱ制御器７０４は、ソフトバッファを空けてＮＡＣＫを受信すると、このソフトバッファ７１１に貯蔵されたデータを出力する。特に、ＨＡＲＱ制御器７０４は、図６Ａに示したように、ＴＴＩの変更によるＨＡＲＱプロセスの再伝送処理を制御する。ＨＡＲＱ制御器７０４から出力されるデータは、２次レートマッチング部７０５を経て送信部７１２により変調、拡散、及び周波数変換が遂行され、Ｎｏｄｅ  Ｂに伝送される。
【００５２】
ブロック７０２、７０３、７０４、７０５は、物理階層制御器７１０を通じて制御情報を受信する。特に、ＴＴＩが変更される場合に、この物理階層制御器７１０は、ＴＴＩ制御器７０９から新たなＴＴＩ情報を受信し、新たなＴＴＩによる処理時間単位をこれらブロック７０２〜７０５に提供する。
【００５３】
以下、図８を参照してＮｏｄｅ  Ｂの受信装置を説明する。
図８を参照すれば、参照番号８０１、８０２、８０３、８０４は、パケットデータの受信のためのデコーディングチェーンである。受信部８１０を経て受信されたデータは、２次ディレート（ｄｅｒａｔｅ）マッチング部８０１を経てそれぞれのＨＡＲＱプロセスのためのソフトコンバイニングバッファ８０６を備えるＨＡＲＱ制御器８０２に受信される。ＨＡＲＱ制御器８０２は、受信データが初期伝送データであるか、或いは再伝送データであるかを区分する。ＨＡＲＱ制御器８０２は、受信されたデータが初期伝送データである場合には、このデータを該当ＨＡＲＱプロセスのソフトコンバイニングバッファ８０６に貯蔵し、再伝送データである場合には、該当ＨＡＲＱプロセスのソフトコンバイニングバッファ８０６に既に貯蔵されているデータとソフトコンバイニングする。ソフトコンバイニングバッファ８０６から出力されるデータは、１次ディレートマッチング部８０３を経てデコーディング部８０４によってデコーディングされる。デコーディング部８０４は、入力データに対するＣＲＣ(Ｃｙｃｌｉｃ  Ｒｅｄｕｎｄａｎｃｙ  Ｃｏｄｅ)チェックを遂行し、ＣＲＣチェックの結果を出力する。このＣＲＣチェックの結果、誤りがない場合は、デコーディング部８０４から出力されるＥ-ＤＣＨデータは再整列部８０５に伝送される。
【００５４】
ＡＣＫ/ＮＡＣＫ判断器８１１は、ＣＲＣチェック結果を通じて受信データに誤りが発生するか否かを判断し、誤り判断の結果に基づいてＡＣＫ/ＮＡＣＫ生成器８０９ではＡＣＫ又はＮＡＣＫを生成し、送信部(図示せず)によって端末に送信するようになる。特に、ＨＡＲＱ生成器８０９は、図６Ｂに示したように、ＴＴＩの変更によって各ＨＡＲＱプロセスのＡＣＫ/ＮＡＣＫ伝送を制御する。ＴＴＩ制御器８０８は、上位階層シグナルリングを通じて新たなＴＴＩ情報とＴＴＩ変更時点に関する情報が与えられると、ＴＴＩ変更時点に合わせて新たなＴＴＩ情報を物理階層制御器８０７とＡＣＫ/ＮＡＣＫ生成器８０９に伝達する。物理階層制御器８０７は、新たなＴＴＩ情報による処理時間単位をブロック８０１〜８０４に提供する。
【００５５】
（第２の実施形態）
以下、本発明の方法２はＴＴＩを変更する以前のデータのＨＡＲＱ結果を考慮してＴＴＩを変更する方法で、変更以前のＴＴＩを用いて伝送したデータのＨＡＲＱ手順をすべて終了した後に、ＴＴＩを変更する方法である。この方法を適用する場合に、実際の上位シグナルリングによって要求されるＴＴＩ変更情報を受信した時点でＴＴＩ変更が発生せず、以前のＴＴＩの該当データのＨＡＲＱプロセス動作が完了した時点でＴＴＩが変更される。
【００５６】
以下、方法２を適用してＴＴＩを変更する方法を第２実施形態を通じて説明する。第２の実施形態では、実際の上位階層のシグナルリングによって伝送されたＴＴＩ変更情報受信時点と、ＴＴＩ変更以前のＨＡＲＱプロセスを考慮して新たな変更時点とを計算する。すなわち、ＴＴＩ変更情報受信時点から端末がＴＴＩ変更以前のデータのすべてのＨＡＲＱプロセスが終了する時点で、ＴＴＩ変更情報によってＴＴＩを変更する方法である。
【００５７】
以下、図９を参照して、本発明の方法２によるＴＴＩ変更方法について説明する。図９は、２ｍｓのＴＴＩから１０ｍｓのＴＴＩに遷移する場合を示す。方法２の場合に、２ｍｓのＴＴＩから１０ｍｓのＴＴＩに遷移する場合と、１０ｍｓのＴＴＩから２ｍｓのＴＴＩに遷移する場合の動作が同一なので、後者の場合は省略する。まず、上位シグナルリングを通じて予め指定された変更時点情報をＴ１  ９０１とし、端末が実際にＴＴＩを変更すべき実際の変更時点をＴ２  ９０２とする。ここで、Ｔ２  ９０２の時点では、以前のＴＴＩに進行するＨＡＲＱプロセス動作が完全に終了すると仮定する。一般的なＨＡＲＱ動作は、再伝送の最大回数を定めてＮＡＣＫを受信しても再伝送の最大回数を超える場合には伝送せず、次のパケットデータを初期伝送するようになる。したがって、Ｔ１  ９０１の時点から以前の２ｍｓＴＴＩにＨＡＲＱプロセスを進行するデータに対して最大再伝送が発生するのにかかる時間だけ経過した以後にＴＴＩを変更する。すなわち、２ｍｓのＴＴＩに進行するＨＡＲＱプロセス動作がすべて終了した後、すなわち、Ｔ２でＴＴＩが１０ｍｓに変更され、この変更された１０ｍｓのＴＴＩによって該当ＨＡＲＱプロセスを設定するようになるため、１０ｍｓＴＴＩの変更によるデータ損失が発生しなくなる。このとき、２ｍｓのＴＴＩで進行されるすべてのＨＡＲＱプロセスがＴ２の時点以前に終了するために、Ｔ１時点以後には新たに始まる初期伝送を遂行しない。端末は、Ｔ１とＴ２のパラメーターのうちの一つの値を上位シグナルリング又は物理階層シグナルリングを通じて受信し、残りの一つの値は下記の<数式１>を用いて求められる。しかし、Ｔ２の情報のシグナルリングを通じてＴ１を計算した結果、Ｔ１が現在時点の以前である場合に、端末はＴ１からＥ-ＤＣＨの初期伝送を遂行しない。このようなＴ１  ９０１とＴ２  ９０２との関係を示すと、次の＜数式１＞のようである。
【００５８】
＜数式１＞
Ｔ２＝（Ｔ１＋ＴＴＩcurrent）＊（ＨＡＲＱプロセスの全体個数（ＴＴＩcurrent））＊(再伝送の最大回数（ＴＴＩcurrent）
【００５９】
例えば、次のようにＴＴＩ別にＨＡＲＱプロセスの全体個数と再伝送の最大回数が設定されると、Ｔ２  ９０２の値が得られる。
【００６０】
【表１】
2005323366.tif 000003
【００６１】
上記のように、端末はＴ１  ９０１で一般的なＨＡＲＱ動作を遂行するが、ＡＣＫ応答を受けたＨＡＲＱプロセスに対しては次の初期伝送を実行しない。
【００６２】
図９を参照すれば、ＨＡＲＱプロセス＃５  ９０４はＡＣＫ信号９１０を受信したため、次のパケットデータの初期伝送が可能である。しかしながら、Ｔ２  ９０２以後に１０ｍｓでデータを伝送すべきなので、ＨＡＲＱプロセスは新たなデータを伝送せずにＤＴＸ状態９０６を維持する。一方、ＨＡＲＱプロセス＃１  ９０３はＮＡＣＫ信号９０９を受信して再伝送が必要なので、２ｍｓＴＴＩで次のＨＡＲＱプロセス＃１  ９０５を通じて再伝送を遂行する。Ｔ２  ９０２の時点直前のＨＡＲＱプロセスで、大部分のＨＡＲＱプロセスは再伝送の最大回数まで再伝送を遂行するようになるため、パケットデータに対する受信確率が高くなり、２ｍｓのＴＴＩで伝送するすべてのデータのＨＡＲＱプロセスを終了することができる。例外的に、ＨＡＲＱプロセス＃１  ９０７のように最大再伝送以後にもＮＡＣＫ９１１を受信する場合に、端末はＮＡＣＫ信号を受信しても再伝送の最大回数を超過したので、それ以上の再伝送は遂行せず、次のパケットデータを初期伝送するようになる。このような端末の動作は、Ｔ２  ９０２の時点で、２ｍｓＴＴＩで伝送するすべてのＨＡＲＱプロセスを終了することで、ソフトバッファに残っているデータがないようにするためである。
【００６３】
以下、上述した端末のＴＴＩ変更動作を図１０を参照して説明する。
図１０を参照すれば、端末はステップ１００１でＴ１情報を受信し、ステップ１００２で上記の<数式１>を通じてＴ２を計算する。ここで、Ｔ１の値とＴ２の値が設定されると、端末はステップ１００３で現在フレーム伝送時点をチェックする。
【００６４】
このチェックの結果、現在フレームの伝送時点がＴ１以前である場合に、ステップ１００４で変更前ＴＴＩの２ｍｓを維持しつつ、該当データに対して正常なＨＡＲＱ動作を遂行する。
【００６５】
このチェックの結果、現在フレームがＴ１以後からＴ２の時点前までに該当する場合に、ステップ１００５で、端末は該当データに対する初期伝送をせず、２ｍｓＴＴＩのＨＡＲＱプロセスの再伝送分に対して２ｍｓのＴＴＩを用いて再伝送を遂行し、２ｍｓのＴＴＩに進行したすべてのＨＡＲＱプロセスを終了する。
【００６６】
チェックの結果、現在フレームの伝送時点がＴ２以後である場合に、ステップ１００６で端末は、Ｔ２時点以後から変更された１０ｍｓのＴＴＩを用いてＨＡＲＱ動作を遂行する。Ｎｏｄｅ  Ｂの場合、ＨＡＲＱ動作に別途の変更事項はなく、Ｔ２の値を計算し、この計算されたＴ２時点でＴＴＩを変更する。
【００６７】
以下、方法２の実施形態を実現するための望ましいＮｏｄｅ  Ｂと端末との送受信装置について説明する。
図１１は、本発明の第２実施形態を実現するための端末の送信装置を示すブロック構成図である。
【００６８】
図１１を参照すれば、基本的な変復調装置は既存の送信器構造と同一なので省略し、ここでは一部構造のみを図示した。ブロック１１０１、１１０２、１１０３、１１０５は、実際のデータが処理されるコーディングチェーンである。Ｅ-ＤＣＨデータが発生すると、ＭＡＣ-ｅ制御器１１０６は、Ｅ-ＤＣＨデータを伝送するための最大データレートを決定する。ＴＦＣ選択ブロック１１０８は、ＭＡＣ-ｅ制御器から前記最大データレート情報を受信し、ＴＴＩ制御器１１０９から該当伝送時点のＴＴＩ情報を受信して、送信可否と送信するデータのＴＦＣを決定するようになる。このとき、ＴＦＣ選択ブロック１１０８は、ＴＴＩ制御器１１０９から新たなＴＴＩと関連した情報を受信し、これを現在フレーム伝送時点と比較し、その比較結果により、再伝送データの送信可否及び伝送するＴＴＩを図１０のように決定するようになる。
【００６９】
ＴＴＩ制御器１１０９は、上位シグナルリングを通じてＴＴＩの変更を要求するＴＴＩ変更信号を受信すると、図１０のように＜数式１＞を利用してＴＴＩ変更時点Ｔ１から以前のＴＴＩによる以前のＨＡＲＱプロセスの再伝送処理が完了する時間を考慮する変更時点Ｔ２を計算し、このＴ２で変更されたＴＴＩによるＨＡＲＱプロセスを設定する。
【００７０】
ＴＦＣが選択されると、ＭＡＣ-ｅ  ＰＤＵが生成され、コーディング部１１０２とレートマッチング部１１０３、１１０５を経て変復調部に伝送されると共に、一方ＨＡＲＱを動作させるためにＨＡＲＱ制御器１１０４が存在する。ＨＡＲＱ制御器１１０４は、最大再伝送の回数内でＡＣＫ/ＮＡＣＫを受信しないデータをそれぞれのＨＡＲＱプロセスのためのソフトバッファ１１１１に貯蔵しておき、ＡＣＫを受信すると、バッファを空け、ＮＡＣＫ信号を受信すると、ソフトバッファ１１１１に貯蔵したデータを出力する。各ブロック１１０２、１１０３、１１０４、１１０５はすべて物理階層制御器１１１０を通して制御情報の伝達を受ける。このとき、ＴＴＩが変更される場合に、処理時間が変更されるため、物理階層制御器１１１０は、ＴＴＩ制御器１１０９から新たなＴＴＩ情報を受信し、新たなＴＴＩによる処理時間単位をこれらブロック１１０２〜１１０５に提供する。
【００７１】
以下、図１２を参照してＮｏｄｅ  Ｂの受信装置を説明する。
図１２に示すように、参照番号１２０１、１２０２、１２０３、１２０４はパケットデータの受信のためのデコーディングチェーンである。
【００７２】
Ｎｏｄｅ  Ｂの場合に、受信して復調されたパケットデータは、ディレートマッチング部１２０１、１２０３を経て、それぞれのＨＡＲＱプロセスのためのソフトコンバイニングバッファ１２０６を備えるＨＡＲＱ制御器１２０２に受信される。ＨＡＲＱ制御器１２０２は、この受信データが初期伝送データであるか、或いは再伝送データであるかを区分し、初期伝送データである場合には、該当ＨＡＲＱプロセスのソフトコンバイニングバッファ１２１０に貯蔵し、再伝送データである場合には、該当ＨＡＲＱプロセスのソフトコンバイニングバッファ１２１０に既に貯蔵されたデータとソフトコンバイニングする。ソフトコンバイニングバッファ１２０１から出力されるデータは、１次ディレートマッチング部１２０３を経てデコーディング部１２０４によってデコーディングされる。デコーディング部１２０４は、入力データに対するＣＲＣチェックを遂行し、このチェック結果を出力する。ＣＲＣチェックの結果、誤りがない場合に、デコーディング部１２０４から出力されるＥ-ＤＣＨデータは再整列部１２０５に伝送される。
【００７３】
ＴＴＩが変更される場合に、Ｎｏｄｅ  ＢのＴＴＩ制御器１２０７は変更されたＴＴＩ情報を受信すると、これに基づいてＴ２を計算する。Ｎｏｄｅ  Ｂの場合に、端末とは違って、Ｔ１以後の別の措置が不必要なので、ＴＴＩ制御器１２０７は、実際に変更が起こる時点で新たなＴＴＩ情報を物理階層制御器１２０６とＡＣＫ/ＮＡＣＫ生成器１２０８に伝達する。この受信された情報に基づいて物理階層制御器１２０６は、Ｔ１又はＴ２に該当するコーディングチェーンを再設定し、ＡＣＫ/ＮＡＣＫ生成器１２０８も該当ＴＴＩ単位で伝送可能にＨＡＲＱプロセスを設定するようになる。
【００７４】
（第３の実施形態）
方法３は、条件に従ってＴＴＩを変更する方法を異なる方式で使用する方法である。
本発明による第３の実施形態では、上記した第１及び第２の実施形態の遅延条件を考慮しようとするとき、より効率的な遷移が可能な方向にＴＴＩを変更する方法を提案する。従来の技術に述べたように、短いＴＴＩの場合には遅延に敏感なサービスを支援しようとするときに使用し、長いＴＴＩの場合には遅延に少し敏感なサービスを支援しようとするときに使用すると、より効率的になる。したがって、長いＴＴＩから短いＴＴＩに変更する場合には、短いＴＴＩへの変更は方法１を適用することにより直ちに実行され、短いＴＴＩから長いＴＴＩに変更する場合には、方法２を適用することにより、短いＴＴＩで伝送したデータにエラーが発生した場合に、伝送するＴＴＩで再伝送した後で長いＴＴＩに変更することが、サービスの遅延特性を考慮するため、一層効率的になる。
【００７５】
(第４の実施形態)
方法４は、ＨＡＲＱ動作中にＴＴＩが変更された場合にソフトバッファに残っているデータをすべて廃棄し、変更されたＴＴＩにおいて新たなデータのみを伝送する方法である。
本発明による第４の実施形態では、データ損失が少しは発生するが、最も簡単で、確実なＴＴＩ変更方法を提案する。まず、実際の上位階層のシグナルリングによって変更時点を受信すると、受信側と送信側は、データフレームが終了する時点とデータフレームに対するＡＣＫ/ＮＡＣＫチャンネルの伝送が終了する時点を考慮してＴＴＩを変更する。このとき、ｎ-チャンネルＳＡＷ方式に従って全体ＨＡＲＱプロセスのうちの一部のＨＡＲＱプロセスは誤りなしにデータを受信し、すなわち、伝送されたデータに対してＡＣＫ信号を受信してＨＡＲＱプロセスが終了する。一方、残りの一部のＨＡＲＱプロセスは、ＮＡＣＫ信号を受信して追加的な再伝送を必要とするはずである。
【００７６】
しかしながら、本発明の第４の実施形態ではＨＡＲＱプロセスの終了可否と関係なく上位階層のシグナルリングを通じて変更時点を受信すると、すべてのＨＡＲＱプロセスを終了する。そして、変更されたＴＴＩで新たなデータに対する初期伝送を始めることによって、ＴＴＩ変更手順を終了する。
【００７７】
本発明の詳細な説明では具体的な実施形態に関して説明したが、本発明の範囲から外れない限りで様々な変形が可能であることはもちろんである。したがって、本発明の範囲は、前述の実施形態に限定されるものではなく、特許請求の範囲の記載及びこれと均等なものに基づいて定められるべきである。
【図面の簡単な説明】
【００７８】
【図１】従来のＥ-ＤＣＨの動作を示す図である。
【図２】従来のＥ-ＤＣＨサービスの送受信動作を示す概略的な手順図である。
【図３】ＨＡＲＱを支援するパケットデータ伝送を示す時間構造図である。
【図４Ａ】ＴＴＩ変更を行う場合に発生する問題点を示す図である。
【図４Ｂ】ＴＴＩ変更を行う場合に発生する問題点を示す図である。
【図５Ａ】本発明の第１実施形態によるチャンネル構造図である。
【図５Ｂ】本発明の第１実施形態によるチャンネル構造図である。
【図６Ａ】本発明の第１実施形態を実現するための端末とＮｏｄｅ-Ｂによる遂行手順を示すフローチャートである。
【図６Ｂ】本発明の第１実施形態を実現するための端末とＮｏｄｅ-Ｂによる遂行手順を示すフローチャートである。
【図７】本発明の第１実施形態を実現するための端末の送信装置を示すブロック構成図である。
【図８】本発明の第１実施形態を実現するためのＮｏｄｅ-Ｂの送受信装置を示すブロック構成図である。
【図９】本発明の第２実施形態によるチャンネル構造図である。
【図１０】本発明の第２実施形態を実現するための端末による遂行手順を示すフローチャートである。
【図１１】本発明の第２実施形態を実現するための端末の送信装置を示すブロック構成図である。
【図１２】本発明の第２実施形態を実現するためのＮｏｄｅ-Ｂの送受信装置を示すブロック構成図である。
【符号の説明】
【００７９】
１１０    基地局（Ｎｏｄｅ  Ｂ）
１０１〜１０４    端末
１１１、１１２、１１３、１１４    通信チャンネル
２０１    基地局（Ｎｏｄｅ  Ｂ）
２０２    端末
７０１    ＭＡＣ-ｅ  ＰＤＵ生成部
７０２    コーディング部
７０３    １次レートマッチング部
７０４    ＨＡＲＱ制御器
７０５    ２次レートマッチング部
７０６    ＭＡＣ-ｅ制御器
７０７    ＴＦＣ選択ブロック
７０９    ＴＴＩ制御器
７１０    物理階層制御器
７１１    ソフトバッファ
７１２    送信部
８０１    ２次ディレート（ｄｅｒａｔｅ）マッチング部
８０２    ＨＡＲＱ制御器
８０３    １次ディレートマッチング部
８０４    デコーディング部
８０５    再整列部
８０６    ソフトコンバイニングバッファ
８０７    物理階層制御器
８０８    ＴＴＩ制御器
８０９    ＡＣＫ/ＮＡＣＫ生成器
８１０    受信部
８１１    ＡＣＫ/ＮＡＣＫ判断器
１１０１    ＭＡＣ-ｅ  ＰＤＵ生成部
１１０２    コーディング部
１１０３、１１０５    レートマッチング部
１１０４    ＨＡＲＱ制御器
１１０６    ＭＡＣ-ｅ制御器
１１０８    ＴＦＣ選択ブロック
１１０９    ＴＴＩ制御器
１１１０    物理階層制御器
１１１１    ソフトバッファ
１２０１    ソフトコンバイニングバッファ
１２０２    ＨＡＲＱ制御器
１２０３    １次ディレートマッチング部
１２０４    デコーディング部
１２０５    再整列部
１２０６    物理階層制御器
１２０７    ＴＴＩ制御器
１２０８    ＡＣＫ/ＮＡＣＫ生成器
１２０９    ＡＣＫ/ＮＡＣＫ判断器
１２１０    ソフトコンバイニングバッファ
【図１】
2005323366.tif 000004
【図２】
2005323366.tif 000005
【図３】
2005323366.tif 000006
【図４Ａ】
2005323366.tif 000007
【図４Ｂ】
2005323366.tif 000008
【図５Ａ】
2005323366.tif 000009
【図５Ｂ】
2005323366.tif 000010
【図６Ａ】
2005323366.tif 000011
【図６Ｂ】
2005323366.tif 000012
【図７】
2005323366.tif 000013
【図８】
2005323366.tif 000014
【図９】
2005323366.tif 000015
【図１０】
2005323366.tif 000016
【図１１】
2005323366.tif 000017
【図１２】
2005323366.tif 000018
【手続補正書】
【提出日】平成17年6月28日(2005.6.28)
【手続補正１】
【補正対象書類名】明細書
【補正対象項目名】００３７
【補正方法】変更
【補正の内容】
【００３７】
図４Ｂは、２ｍｓのＴＴＩから１０ｍｓのＴＴＩに伝送する場合を示す図であって、方法１を単純に適用する場合に、下記のような問題が発生する。１０ｍｓから２ｍｓにＴＴＩが遷移する場合のように、ＡＣＫ/ＮＡＣＫ伝送が重なる問題は発生しないが、ＨＡＲＱプロセスの個数の差によって再伝送の問題が発生する。
図４Ｂを参照すると、２ｍｓＴＴＩの場合は、ＨＡＲＱプロセスの全体個数が５に設定され、１０ｍｓＴＴＩの場合は、ＨＡＲＱプロセスの全体個数が３に設定されている。現在まで、Ｅ−ＤＣＨ論議でソフトバッファの物理的メモリとプロセス時間を考慮して２ｍｓＴＴＩの場合には５チャンネルＳＡＷ  ＨＡＲＱを考慮し、１０ｍｓＴＴＩの場合は２ｍｓＴＴＩの場合より小さいおおよそ２〜３チャンネルＳＡＷ  ＨＡＲＱを考慮する。
【外国語明細書】
2005323366.tif 000019
2005323366.tif 000020
2005323366.tif 000021
2005323366.tif 000022
2005323366.tif 000023
2005323366.tif 000024
2005323366.tif 000025
2005323366.tif 000026
2005323366.tif 000027
2005323366.tif 000028
2005323366.tif 000029
2005323366.tif 000030
2005323366.tif 000031
2005323366.tif 000032
2005323366.tif 000033
2005323366.tif 000034
2005323366.tif 000035
2005323366.tif 000036
2005323366.tif 000037
2005323366.tif 000038
2005323366.tif 000039
2005323366.tif 000040
2005323366.tif 000041
2005323366.tif 000042
2005323366.tif 000043
2005323366.tif 000044
2005323366.tif 000045
2005323366.tif 000046
2005323366.tif 000047
2005323366.tif 000048
2005323366.tif 000049
2005323366.tif 000050
2005323366.tif 000051
2005323366.tif 000052
2005323366.tif 000053
2005323366.tif 000054
2005323366.tif 000055
2005323366.tif 000056
2005323366.tif 000057
2005323366.tif 000058
2005323366.tif 000059
2005323366.tif 000060
2005323366.tif 000061
2005323366.tif 000062
2005323366.tif 000063
2005323366.tif 000064
2005323366.tif 000065
2005323366.tif 000066
2005323366.tif 000067